(57)【要約】【課題】  従来の底板と共にビスを通した脚を天部に固定するテレビラックにおいて、ビス貫通穴をビスの長さに対応する部分全てを貫通穴として加工する必要があり、材料費の観点から脚の幅は制約されるので安定性や水平荷重性能の確保が構造的にしにくいという課題がある。  【解決手段】  アンプとスピーカを有する天箱をビスを通した脚で底板とともに固定し、別の電気機器を挿入可能としたテレビラックにおいて、脚は、樹脂シートとパーティクルボードからなるフォールディング方式で構成された中空構造であり、天箱及び底板に接する部分にビスガイド穴を有し、さらに底板方向にテーパを付したガイド穴をもつ中央板を有する構造とした。安価に組立作業性、安定性、水平荷重性能を確保でき、さらに中間板を設けることで長いビスの挿入誘導も容易となる。【選択図】  図１
2010029516.tif 000002
【特許請求の範囲】
【請求項１】
天板と、中空構造であって前記天板に接する部分及びその反対側にビスガイド穴を有し、前記天板を前記ビスガイド穴の間を通したビスで固定する脚とを備えることを特徴としたラック。
【請求項２】
底板をさらに備え、前記脚は前記底板に接する部分にビスガイド穴を有することを特徴とするラック。
【請求項３】
前記脚は、前記ビスを案内するための中間板を有することを特徴とする請求項１あるいは請求項２に記載のラック。
【請求項４】
前記中間板は、前記ビスの挿入方向に対して反対方向に広がったテーパを付したガイド穴を有することを特徴とする請求項１乃至３に記載のラック。
【請求項５】
前記脚は、フォールディング方式により製作されることを特徴とする請求項１乃至４に記載のラック。
【発明の詳細な説明】
【技術分野】
【０００１】
本発明は、特に長いビスで底板及び脚を天部に締結する木製テレビラックの構成に関するものである。
【背景技術】
【０００２】
従来、テレビラックの構成については、長いビスで底板及び脚を天部に締結する構成のものが知られている。また、テーブル等の組立脚ではパイプ状で下端部を台板に、上端部を天板受座板に結合するように形成した脚支柱を、長いビスとナットにより結合しているものもある（例えば、特許文献１参照。）。
【０００３】
図４及び図５は、それぞれ第１の従来のテレビラックの構成を示す断面図及び斜視図である。図４において、天箱１はアンプやスピーカ等の機器を収納し、その上部にはテレビを載せることができるものであり、底板３はテレビラックを底面で支えるものであり、脚６は天箱１と底板３との間に固定され、ビデオデッキ等のＡＶ機器を収納できる空間を構成するものであり、ビス４は底板３と脚６を天箱１に固定するものである。従って、テレビラックは脚、底板、天部及び脚を貫通して天部と底板を締結する必要があるため、比較的長いビスで固定しなければならない。そのため、脚６にはビス４を貫通させるための長い、すなわち脚６の長さ分の穴を加工することが必要である。また材料費の観点から脚６の幅は制約されるので、安定性や水平荷重性能が構造的に確保しにくい。
【０００４】
図６は、第２の従来のテレビラックの構成を示す斜視図である。図６において、第２の従来のテレビラックは、４本の脚４で天箱１と底板３との間を固定され、ビデオデッキ等のＡＶ機器を収納できる空間を構成するものである。第２の従来のテレビラックは少ない材料で安定性や水平荷重性能を確保することができるが、組立作業性が良いとはいえない。
【特許文献１】実開平５−１３３１号公報
【発明の開示】
【発明が解決しようとする課題】
【０００５】
しかしながら、前記テレビラックでは、ボルト貫通穴をビスの長さに対応する部分全てを貫通穴として加工する必要があり、材料費の観点から脚の幅が制約されるという課題を有していた。
【０００６】
本発明は、安価に組立作業性、安定性、水平荷重性能を確保したテレビラックを提供することを目的する。
【課題を解決するための手段】
【０００７】
前記従来の課題を解決するために、本発明は、天板と、中空構造であって前記天板に接する部分及びその反対側にビスガイド穴を有し、前記天板を前記ビスガイド穴の間を通したビスで固定する脚とを備えることを特徴としたものであり、ボルト貫通穴を容易に加工できると同時に脚の幅を少ない材料で大きく設定できるという作用を有する。
【発明の効果】
【０００８】
本発明のテレビラックは、脚を中空構造としたため、ボルト貫通穴を容易に加工できると同時に脚の幅を少ない材料で大きく設定できるので、安価に組立作業性、安定性、水平耐荷重性能を確保することができる。同時に中央板を設けることで挿入されたビスをガイドすることができるので、容易に長いビスの挿入を誘導することができるも。
【発明を実施するための最良の形態】
【０００９】
以下、本発明のテレビラックを実施するための最良の形態について、図１から図３を用いて詳細に説明する。
【００１０】
（実施の形態１）
図１は、本発明の実施の形態１におけるテレビラックの断面図である。図１において、１は天箱、２は中空構造の脚、３は底板、４は底板と脚を天板に固定する長いビス、５は底板方向にテーパを付したガイド穴を持つ中央板を構成している。図２は第１の実施の形態の斜視図をである。各脚はそれぞれ２本ずつのビス４で固定される例を示す。
【００１１】
脚２は樹脂シートとパーティクルボードからなるフォールディング方式で構成されており、脚の前面背面左右の４側面が樹脂シート面で胴板と呼ばれる部分となっており、Ｖカットされた後で脚部の天箱に接する板、底板に接する板、中央板をその胴板に設けられた溝に沿って巻き込むように組み立てられる。このような構成をとることで、脚を中空構造としたため、ボルト貫通穴を容易に加工できると同時に脚の幅を少ない材料で大きく設定できる。脚部の天箱に接する板、底板に接する板、中央板にはそれぞれに長いビスを通すガイド穴が設けられ中央板には底板方向にテーパを付した形状としている。テレビラックはアンプとスピーカを有する天箱の下部に埋め込まれたナット部に対して長いビスを通した左右２本の脚で底板と共にビス締め固定することでその全体が組立てられる。
【００１２】
以上のような構成をとることで、安価に組立作業性、安定性、水平耐荷重性能を確保できることとなる。同時に中央板を設けることで長いビスの挿入誘導も容易となるという有利な効果が得られる。
【００１３】
（実施の形態２）
図３は実施２の形態の斜視図である。各脚はそれぞれ１本ずつのビス４で固定される例を示す。長いビスを２本に減らし、各脚はそれぞれ１本ずつのビス４で固定され、実施の形態１に比べさらに組立作業性を向上させることができる。
【産業上の利用可能性】
【００１４】
本発明のテレビラックは、安価に組立作業性、安定性、水平耐荷重性能の確保ができ、天箱を天板に変更することによって、耐荷重の必要なテーブル等の用途にも適用できる。
【図面の簡単な説明】
【００１５】
【図１】本発明の実施の形態１におけるテレビラックの断面図
【図２】本発明の実施の形態１におけるテレビラックの斜視図
【図３】本発明の実施の形態２におけるテレビラックの斜視図
【図４】第１の従来のテレビラックの断面図
【図５】第１の従来のテレビラックの斜視図
【図６】第２の従来のテレビラックの斜視図
【符号の説明】
【００１６】
１  天箱
２  脚
３  底板
４  ビス
５  中央板
６  脚
【図１】
2010029516.tif 000003
【図２】
2010029516.tif 000004
【図３】
2010029516.tif 000005
【図４】
2010029516.tif 000006
【図５】
2010029516.tif 000007
【図６】
2010029516.tif 000008